(57)【要約】【課題】ユーザが受信機を起動させていない場合や受信機の近くにいない場合は、番組を見逃してしまう。【解決手段】ユーザの視聴および録画を監視する視聴監視手段と、前記視聴監視手段でユーザが視聴した番組の視聴情報を記憶する視聴情報記憶手段と、前記視聴情報から次にユーザが視聴すると考えられる高確率視聴番組を類推する高確率視聴番組類推手段と、前記視聴情報から前記高確率視聴番組が視聴されないことを判断した場合に外部機器に報知する番組報知手段を備えた高確率視聴番組情報報知システムを用いることで、ユーザが通常宅内で視聴する端末からユーザの視聴実績をもとに類推した高確率視聴番組情報をユーザが保持している外部機器に報知することで、ユーザの番組の見逃しを防ぐことができる。【選択図】　図１
2004128874.tif 000002
【特許請求の範囲】
【請求項１】
ユーザの視聴および録画を監視する視聴監視手段と、前記視聴監視手段でユーザが視聴した番組の視聴情報を記憶する視聴情報記憶手段と、前記視聴情報から次にユーザが視聴するであろう高確率視聴番組を類推する高確率番組類推手段と、前記視聴情報から前記高確率視聴番組が視聴されないことを判断した場合に外部機器に報知する番組報知手段を備えた高確率視聴番組情報報知システム。
【発明の詳細な説明】
【０００１】
【発明の属する技術分野】
本発明は、複数のチャネルで放送される番組群を受信する受信機から、前記受信機とネットワークを介して通信可能な外部機器に対して、高確率視聴番組情報を報知するシステムに関するものである。
【０００２】
【従来の技術】
従来、ユーザが番組を見逃すことを防ぐ方法として、一般的に全ての番組を録画しておく方法がある。またユーザの視聴頻度の高い番組表を作成し、提示する技術がある（例えば、特許文献１参照）。
【０００３】
【特許文献１】
特開平１０−３０４２６７号公報
【０００４】
【発明が解決しようとする課題】
しかしながら、前記のような全ての番組を録画しておく方法では、記憶装置の容量には限りがあるため、全ての番組を録画することは物理的に無理がある。また、ユーザに対して次に視聴する可能性が高い番組の提示をする方法では、ユーザが受信機を起動させていない場合や、ユーザが受信機の近くにいない場合には、ユーザが番組を見逃してしまうという問題点があった。
【０００５】
本発明は、上記従来の問題点を解決するもので、ユーザが受信機を起動させていない場合や、ユーザが受信機の近くにいなくても、ユーザが宅内で視聴する端末から、ユーザの視聴実績を反映したユーザが視聴する頻度の高い可能性のある番組を、ユーザが保持している外部機器に報知することで、ユーザの番組の見逃しを防ぐこと目的とする。
【０００６】
【課題を解決するための手段】
この目的を達成するために、本発明の高確率視聴番組情報報知システムは、ユーザの視聴および録画を監視する視聴監視手段と、前記視聴監視手段でユーザが視聴した番組の視聴情報を記憶する視聴情報記憶手段と、前記視聴情報から次にユーザが視聴すると予測される高確率視聴番組を類推する高確率視聴番組類推手段と、前記視聴情報から前記高確率視聴番組が視聴されないことを判断した場合に外部機器に報知する番組報知手段を備える。
【０００７】
【発明の実施の形態】
（実施の形態１）
以下、本発明の第１の実施形態について、デジタル放送に適用して図面を参照しながら説明する。図１に本発明の第１の実施形態による高確率視聴番組情報報知システムの全体構成を示す。
【０００８】
図１の高確率視聴番組情報報知システムは、複数のチャネルで放送される番組の信号を受信する受信機１０１から、前記受信機と通信ネットワーク１０２を介して通信可能な外部機器１０３に対し、高確率視聴番組を報知するシステムを表している。
【０００９】
図１における受信機１０１は、トランスポートストリームを用いて送信される番組１０４や電子番組表（ＥＰＧ：Ｅｌｅｃｔｒｏｎｉｃ　Ｐｒｏｇｒａｍ　Ｇｕｉｄｅ）１０５を受信するものである。ＥＰＧのデータには各チャネルを構成する番組の構成時間や番組名や番組内容といった付加情報が含まれる。
【００１０】
なお、前記受信機は図２における高確率視聴番組情報を報知する機能２０４と外部機器との通信接続が可能な機能を備えている。
【００１１】
図１の通信ネットワーク１０２は、前記受信機と外部機器とをつなげるためのネットワークである。この前記通信ネットワークは、インターネットや無線電話網や固定電話網を表している。図１の外部機器１０３は、前記通信ネットワークを介して通信可能な機器であり、前記受信機から高確率視聴番組情報を受信することができる。なお、前記外部機器は、携帯電話やＰＤＡやパソコンやテレビやテレビ受信機であってもよい。なお、前記高確率視聴番組報知システムは、インターネットＴＶやその他のネットワークを介して受信される番組であっても構わない。またそれは音声のみであるラジオ番組でもかまわない。
【００１２】
図２に受信機内部の高確率視聴番組情報を報知するまでの各手段とやり取りされる情報を示す。視聴監視手段２０１は、ユーザが現在番組を視聴しているかどうかを判定する機能を備えており、ユーザの視聴を監視し、監視結果を視聴情報記憶手段２０２または高確率視聴番組類推手段２０３に通知する。
【００１３】
図３に視聴監視手段の処理の一例をフローチャートで示す。ステップ３０１は、受信機の電源の切り替えを検知する。
【００１４】
ステップ３０２で、電源が入っているか、入っていないかを判別する。電源状態を受信機で保持させておく。また電源が入っているときはステップ３０３へ、電源が入っていない場合はステップ３０７へ遷移する。ステップ３０３では、視聴開始時刻と番組情報を記憶する。番組情報はＥＰＧから番組名とチャネルと番組放送時間を取得する。ステップ３０４は、チャネルまたは電源が切り替えられた場合に判定を行う。ステップ３０５はチャネル切り替え時刻と現在時刻を記憶する。ステップ３０６は、前記ステップ３０３と３０５で記憶された内容を図２における視聴情報記憶手段２０２に通知する。前期視聴情報記憶手段に通知されるのは図２における視聴状態情報２０５である。ステップ３０７は電源が入っていないことを番組報知手段に通知する。なお、前記視聴監視手段ではユーザの録画を監視してもよい。
【００１５】
視聴情報記憶手段２０２は、現在ユーザが視聴している番組の番組情報を視聴記憶情報２０６として記憶装置に記憶する。視聴記憶情報は、ユーザが視聴した番組情報である。この前記視聴記憶情報は、視聴時刻や曜日や番組名やチャネルを表す。
【００１６】
図４に視聴情報記憶手段の処理の一例をフローチャートで示す。また、図５に視聴記憶情報を作成する一例を示す。
【００１７】
ステップ４０１と４０６は前期視聴情報記憶手段２０２からの通知を受けたかどうかを判定するステップである。なお４０１では視聴状態情報をメモリに保持させておく。ステップ４０２は視聴時間を算出する。算出方法は前期視聴状態情報の視聴終了時刻から視聴開始時刻を減算すればよい。ステップ４０３は、４０２で算出した視聴時間が一定時間経過したかどうかを判定するステップである。一定時間経過しない場合は、メモリに保持させたデータを解放する。ステップ４０４は、視聴時間をＥＰＧデータの番組放送時間と同一にする。例えば視聴状態情報の視聴開始時刻が１９：１８で、視聴終了時刻が１９：５４、番組放送時間が１９：００〜２０：００、視聴時間が一定時間経過したかどうかを判定する時間が３０分に設定されている場合、視聴時間は３６分であるため、視聴時間を１９：１８〜１９：５４で記憶させるのではなく、番組放送時間と同じ時間に修正する。ステップ４０５では、前期ステップ４０４の修正データをデータベースに登録し、メモリに保持させていたデータを解放する。以上により、視聴時間、曜日、チャネル、番組名が視聴記憶情報として記憶される。なお、視聴記憶情報は、高確率視聴番組類推手段２０７で使用される。
【００１８】
この前記記憶装置は、受信機内部のＨＤＤであってもよい。また、外部機器であってもよい。
【００１９】
図６に視聴記憶手段で保存された視聴記憶情報の例を示す。本実施の形態では視聴記憶情報はユーザが視聴した時刻、曜日、チャネル、番組名とする。６０１に例を示す。なお、視聴記憶情報は、ユーザが視聴したチャネル別、視聴時間別、視聴日別、曜日別、ジャンル別、録画別というように分別して記憶してもよい。６０２に曜日別の視聴記憶情報の例を示す。
【００２０】
図２の７は高確率視聴番組類推手段である。前記視聴記憶手段で取得された視聴記憶情報を用いて、ユーザが視聴するであろう高確率視聴番組を類推する。
【００２１】
図７に高確率視聴番組類推手段の処理の一例をフローチャートで示す。また、図８に高確率視聴番組類推手段において、現在の時刻が１８：４５であった場合の一例を示す。
【００２２】
ステップ７０１は前記視聴記憶手段から視聴記憶情報を取得するステップである。ステップ７０２は、現在曜日と現在時刻とチャンネルを取得するステップである。ステップ７０３では、前期ステップ７０２で取得した現在時刻から報知判定を行う時刻を設定する。この例では現在時刻が１８：４５分であり、報知判定を行う時刻を１９：００に設定する。なお報知判定の時刻設定として、３０分単位、１時間単位、２時間単位などが考えられる。また、何時間後の報知判定を行うかユーザがあらかじめ選択しておいてもよい。ステップ７０４は前記視聴記憶情報８０１から報知判定時刻を含む視聴記憶があるかを判定するステップである。８０２に抽出した１９：００を含む視聴記憶情報の例を示す。ステップ７０５は、前記ステップから抽出された視聴記憶情報８０２から、視聴回数を算出するステップである。ステップ７０６では、一番視聴回数が多いものを高確率視聴番組の候補として設定する。ステップ７０７では、前記候補とＥＰＧから番組名を比較して、ＥＰＧから前記候補の番組名と部分一致するものを選別する。なお前記候補がＥＰＧ上に存在しない場合、８０２から次に視聴回数の多い番組を、高確率視聴番組の候補として設定し、再度選別を行う処理も可能である。ステップ７０８では、７０７で選別された高確率視聴番組情報が存在するか判定する。ステップ７０９では、前記候補を高確率視聴番組として、番組報知手段に通知する。
【００２３】
なお、確率視聴番組類推手段としては、ユーザが毎週同時刻に番組を視聴しているという視聴実績を用いてもよい。また関係する一連の番組に付与される共通情報を利用してもよい。
【００２４】
なお、記高確率視聴番組類推手段を用いて、類推された番組の録画状況を前記高確率視聴番組情報８０３に加えてもよい。
【００２５】
前記高確率視聴番組類推手段は、前記高確率視聴番組情報を番組報知手段８に通知する。８は番組報知手段である。前記番組報知手段は前記高確率視聴番組類推手段で通知された高確率視聴番組情報１２をユーザの保持している外部機器に対して報知する。
【００２６】
図９に番組報知手段の処理の一例をフローチャートで示す。ステップ９０１では、１２から電子メールを作成するステップである。ステップ９０２は、前記ステップで作成された電子メールを送信するステップである。前記番組報知手段は、ネットワークを介して報知される。
【００２７】
なお、記番組報知手段は、報知先として複数端末を指定してもよい。
【００２８】
なお、確率視聴番組情報は、文字情報であったり、音声情報であったり、映像情報として報知してもよい。
【００２９】
【発明の効果】
以上のように、発明はユーザが通常宅内で視聴する頻度の高い番組情報を、ユーザが保持している外部機器に報知することによって、ユーザが通常視聴している環境にいなくてもユーザの視聴頻度の高い番組を見逃すことを防ぐことができる。
【００３０】
また、通知された情報から通常視聴している映像受信機に対して録画予約の返信を行うような拡張も考えられる。
【図面の簡単な説明】
【図１】本発明の第１の実施形態の構成を示す図
【図２】本発明の第１の実施形態による受信機内部の構成を示す図
【図３】本発明の第１の実施形態による視聴監視手段のフローチャート
【図４】本発明の第１の実施形態による視聴情報記憶手段のフローチャート
【図５】本発明の第１の実施形態による視聴記憶情報の作成例を示す図
【図６】本発明の第１の実施形態による視聴記憶手段で保存された視聴番組情報を示す図
【図７】本発明の第１の実施形態による高確率視聴番組類推手段のフローチャート
【図８】本発明の第１の実施形態による高確率視聴番組類推手段の例を示す図
【図９】本発明の第１の実施形態による番組報知手段のフローチャート
【符号の説明】
１０１　受信機
１０２　通信ネットワーク
１０３　外部機器
１０４　番組
１０５　電子番組表
２０１　視聴監視手段
２０２　視聴情報記憶手段
２０３　高確率視聴番組情報類推手段
２０４　番組報知手段
２０５　視聴状態情報
２０６　視聴記憶情報
２０７　高確率視聴番組情報
【図１】
2004128874.tif 000003
【図２】
2004128874.tif 000004
【図３】
2004128874.tif 000005
【図４】
2004128874.tif 000006
【図５】
2004128874.tif 000007
【図６】
2004128874.tif 000008
【図７】
2004128874.tif 000009
【図８】
2004128874.tif 000010
【図９】
2004128874.tif 000011